(57)【要約】【課題】通常の草刈作業と畦上に植えられた作物の茎葉刈取り作業が簡単な部品切替で兼用可能であり、それぞれ精度の良い作業が可能である刈取り作業機を提供する。【解決手段】トラクタ装着部と、トラクタからの動力により回転する刈取り部５と、刈取り部５の後方左右に配設されたゲージ輪６とを有する刈取り作業機において、刈取り部左右の側板５３，５３´は、刈取り刃５１回転外周下端より下方側に延長可能な延長側板５４，５４´が取付け取り外し可能であり、刈取り部５後方の取付け部に取付け取り外し自在に左右一対設けられ、先端部が刈取り刃回転外周より前方且つ下方に位置し、先端部から後上がりに刈取り刃５１回転外周内側を通過して傾斜させて設けた茎葉誘導杆７０を有する刈取り作業機による。【選択図】      図１
2011103848.tif 000002
【特許請求の範囲】
【請求項１】
トラクタ後部に装着可能に設けた装着部と、トラクタからの動力により回転する進行方向と直交する水平方向の回転軸に放射状に複数の刈取り刃を揺動自在に設けた刈取り部と、該刈取り部の後方左右に配設されたゲージ輪とを有する刈取り作業機において、
前記刈取り部左右の側板は、刈取り刃回転外周下端より下方側に延長可能な延長側板が取付け取り外し可能であり、刈取り部後方の取付け部に取付け取り外し自在に左右一対設けられ、先端部が刈取り刃回転外周より前方且つ下方に位置し、該先端部から後上がりに刈取り刃回転外周内側を通過して傾斜させて設けた茎葉誘導杆を有する刈取り作業機。
【発明の詳細な説明】
【技術分野】
【０００１】
本発明は、トラクタに装着されて草や茎葉の刈取り作業を行う農業用機械に関する。
【背景技術】
【０００２】
この種の刈取り装置の従来技術として特開２００５−１３０４１号公報（従来技術１）、または実開昭５８−９１２２８号公報(従来技術２)、さらに特開２００９−８９６６０号公報（従来技術３）が開示されている。
【０００３】
特開２００５−１３０４１号公報（従来技術１）には、「走行手段の走行により進行方向に移動しながら圃場上の茎葉部を切断する作業機本体と、この作業機本体に前記走行手段から離反する方向である進行方向に突出するように取り付けられ、前記茎葉部をこの茎葉部が平面視で前記作業機本体の進行方向前方領域内に位置するように誘導する茎葉誘導体とを備えることを特徴とする農作業機」の開示がされている。
【０００４】
また、実開昭５８−９１２２８号公報(従来技術２)には、「甘藷等の栽培畦に沿って移動しながら畦上のつる部を細断するロータリ式のつる切断装置と、このつる切断装置の左右両側部に前方に突出するように装着され、畦部からその両側の溝部にかけて延伸しているつるを上方に引上げる杆状の一対のデバイダーとを備え、前記デバイダーは、その間隔を調整可能とすると共に、上下動調節も可能にして、栽培畦の高さおよび幅に対応して調節できるように構成したことを特徴とする甘藷等のつる処理装置」の開示がされている。
【０００５】
さらに、特開２００９−８９６６０号公報（従来技術３）には、「機体と、この機体に回転可能に設けられ、複数の爪被取付部に対して着脱可能な第１刈爪と、前記爪被取付部に対して着脱可能で、回転径が前記第１刈爪の回転径より小さい第２刈爪と、前記第１刈爪と前記第２刈爪との重さの差に応じた重さのバランスウエイトとを備え、草刈作業時には、前記回転軸体の爪被取付部には前記第１刈爪が取り付けられ、茎葉処理作業時には、前記回転軸体の一の爪被取付部には前記第１刈爪が取り付けられ、前記回転軸体の他の爪被取付部には前記第２刈爪およびバランスウエイトが取り付けられることを特徴とするフレールモア。」が開示されている。
【先行技術文献】
【特許文献】
【０００６】
【特許文献１】特開２００５−１３０４１号公報（従来技術１）
【特許文献２】実開昭５８−９１２２８号公報(従来技術２)
【特許文献３】特開２００９−８９６６０号公報（従来技術３）
【発明の概要】
【発明が解決しようとする課題】
【０００７】
トラクタ後部に装着されて使用される刈取り機の場合、その使用する作業によって専用の構造となっていて、例えば畦に植えられたつる状の作物や茎葉を有する作物の刈取りと雑草等の刈取り作業のものはそれぞれ専用に設けられていて、それぞれの作業機を必要とするため、使用者は経済的に大きな負担を要することになる問題がある。また、畦上に植えられた作物の茎葉やつるを刈取るとともに破砕しようとしたときに、畦間の凸凹部のために刈取られたつるや茎葉の破砕が適切に行われない問題がある。
【０００８】
前記従来技術１または従来技術２の様な構造のものは、畦の凹部の茎葉や長い茎葉を刈取り部に誘導するための茎葉誘導体またはデバイダーを設けた構造で、畦に植え付けられた作物の茎葉処理専用の作業機となっていて、通常の草刈作業を想定したものではない。また、従来技術３の場合、通常の草刈作業ができるばかりでなく、振動発生を防止しつつ、精度良く茎葉処理作業ができるフレールモアの提供を目的としたものであるが、多数設けられた刈爪とバランスウエイトの交換が必要であり容易に変更するのには問題があるとともに、畦の高さが高い場合の凹部の茎葉を適切に誘導して刈取り処理するには適切な構造とはなっていない。
【０００９】
このため本発明の目的は、通常の草刈作業と畦上に植えられた作物の茎葉刈取り作業が簡単な部品切替で兼用可能であり、それぞれ精度の良い作業が可能である刈取り作業機を提供することを目的とする。
【課題を解決するための手段】
【００１０】
上記課題を解決するために、トラクタ後部に装着可能に設けた装着部と、トラクタからの動力により回転する進行方向と直交する水平方向の回転軸に放射状に複数の刈取り刃を揺動自在に設けた刈取り部と、該刈取り部の後方左右に配設されたゲージ輪とを有する刈取り作業機において、前記刈取り部左右の側板は、刈取り刃回転外周下端より下方側に延長可能な延長側板が取付け取り外し可能であり、刈取り部後方の取付け部に取付け取外し自在に左右一対設けられ、先端部が刈取り刃回転外周より前方且つ下方に位置し、該先端部から後上がりに刈取り刃回転外周内側を通過して傾斜させて設けた茎葉誘導杆を有する刈取り作業機を提案する。
【発明の効果】
【００１１】
この発明によれば、刈取り部左右の側板は、刈取り刃回転外周下端より下方側に延長可能な延長側板が取付け取り外し可能に設けられていることにより、通常の草刈時には取り外して作業が可能であり、畝等の茎葉を刈取り処理する場合は装着することで精度の良い刈取り作業が可能となる。特に、畝等の茎葉を刈取り処理する場合に左右の側板下方端が地面より隙間が大きいと、刈取られた茎葉が刈取り部内から飛び出して、刈取り部内で持ち回りされ難くなり、内部での破砕効果が得られ難いため細かく細断が行われない場合があるが、延長側板を設けたことで精度の良い作業ができる。
【００１２】
また、刈取り部後方の取付け部に取付け取り外し自在に左右一対設けられ、先端部が刈取り刃回転外周より前方且つ下方に位置し、先端部から後上がりに刈取り刃回転外周内側を通過して傾斜させて設けた茎葉誘導杆により、高い畦に植えられた作物の茎葉が倒れ込んでいても下方から掬い上げて確実に刈取り刃の回転領域に誘導するため、拾い残し等の不具合が発生しない。また、取り外しも茎葉誘導杆のみ外すことにより、通常の草刈作業が容易に可能となる。
【図面の簡単な説明】
【００１３】
【図１】本発明を実施した刈取り作業機の側面図
【図２】本発明を実施した刈取り作業機の平面図
【図３】本発明を実施した刈取り作業機を畦上に位置させた正面図
【図４】本発明を実施した刈取り作業機の後面図
【図５】本発明を実施した刈取り作業機の一部断面した側面図
【図６】本発明を実施した刈取り作業機の通常の草刈作業状態時の側面図
【発明を実施するための形態】
【００１４】
以下、本発明の実施例を以下の図面に基づいて説明する。図１は本発明を実施した刈取り作業機の側面図、図２は同じく刈取り作業機の平面図、図３は同じく刈取り作業機を畦上に位置させた正面図、図４は同じく刈取り作業機の後面図、図５は同じく刈取り作業機の一部断面した側面図、図６は本発明を実施した刈取り作業機の通常の草刈作業状態時の側面図を示したものである。
【００１５】
本例に示す刈取り作業機１は、図示していないトラクタの後方に設けた装着部に装着され、トラクタからの動力により刈取り部を駆動して使用されるものである。トラクタの後方に設けた左右一対のロワーリンクとその中央上方に設けたトップリンクとからなる３点リンクヒッチ機構に、刈取り作業機１の前方下方左右に設けたロワーリンクピン２０と前記ロワーリンクと、同じく前方上方部に設けたトップマスト２２前方先端部のトップリンクピン２１と前記トップリンクとを連結させ装着する。装着は３点リンク機構にこれらを定型化する連結枠（クイックカプラー又はオートヒッチと称される）を取り付けて、これを介して装着する方法もある。
【００１６】
刈取り作業機１は、前記ロワーリンクピン２０とトップマスト２２およびこの前方先端部のトップリンクピン２１で構成される装着部２を前方に配設するとともに、前方に向け突設させた入力軸３０が前方中央部に設けられていて、該入力軸３０と図示していないトラクタＰＴＯ軸とユニバーサルジョイントにより連結して動力が入力され駆動される。
【００１７】
入力軸３０は内部にベベルギヤを設けたベベルギヤケース３により保持されていて、ベベルギヤケース３の下方には茎葉や草を刈取り破砕する刈取り部５が配設され、その後方左右には刈取り部５の地上高さを調節するゲージ輪６が左右一対設けられている。また、刈取り部５の左右の側板５３，５３´後方側に保持されて水平に設けた角パイプ状の取付フレーム７１に茎葉誘導部７が設けられていて、茎葉誘導部７は取付フレーム７１に左右方向に一対スライドホルダー７２が設けられ、これに取付け取外し自在に茎葉誘導杆７０が取付けられ、茎葉誘導杆７０は先端部が刈取り刃回転外周より前方且つ下方に位置し、該先端部から後上がりに刈取り部５の刈取り刃回転外周内側を通過して傾斜させて設けスライドホルダー７２に取付けられ構成されている。
【００１８】
スライドホルダー７２は取付フレーム７１に対し取付け位置を左右に移動自在である。茎葉誘導杆７０の刈取り部５の刈取り刃回転外周内側を通過している部分は、左右方向の刈取り刃同士の隙間部分を通過させている。茎葉誘導杆７０のスライドホルダー７２への取付けは、茎葉誘導杆７０の長手方向に多数設けた取付け孔７３を選択して取付けることで、先端部の前後位置を調整できる。また、スライドホルダー７２の茎葉誘導杆７０取付け部は取付けフレーム７１に対し一定範囲で回動支点７４を中心に前後方向に回動可能に設けてあり、茎葉誘導杆７０の前方先端部が地面に当接して摺動すると共に一定範囲上下に回動して地面に追従するように構成されている。
【００１９】
前記入力軸３０を前方に突設保持して内部のベベルギヤにより進行方向左右方向に回転動力を変換及び変速するベベルギヤケース３は、左右方向にパイプ状のフレームを固着延設させていて、左右一方のパイプ状フレーム内に設けた出力軸により動力を側方端側に伝達する。前記ベベルギヤケース３と反対側の側方端部の出力軸先端にはベルト用プーリが固着されていて、また、その下方に前記刈取り部５の回転軸５０の端部に固着された入力プーリが設けられていて、これらのプーリに掛け渡された伝動ベルトにより出力軸で伝達された動力は刈取り部５の回転軸５０に伝達され回転駆動する。側方のプーリ及び伝動ベルト部はベルトカバー４により覆われてガードされている。
【００２０】
刈取り部５は、トラクタ進行方向と直交する水平方向の回転軸５０に放射状に複数の刈取り刃５１を揺動自在に設け、これを回転軸５０の上方を通過して前方から後方に掬い上げるように回転させ、茎葉を刈取りするとともに破砕する。刈取り刃５１回転軌跡外周上方部は、刈取り部カバー５２で覆われていて、切断された茎葉の飛散を防止するとともに刈取られた茎葉の一部を回転軸５０周りに持ち回らせてさらに細かく破砕するように設けられている。
【００２１】
刈取り部５後方左右にはゲージ輪６が設けられていて、刈取り部５上方のフレームから後方に延設したフレームに上下方向回動自在に連結されたゲージ輪取付けフレーム６３に取り付けられている。ゲージ輪取付けフレーム６３は、ゲージ輪６を左右に位置させるための左右水平方向に設けた角パイプ状の水平フレーム６３０と、水平フレーム６３０から前方に延設した左右の回動アーム６３１と、水平フレーム６３０中間部とベベルギヤケース上方に延設して固着されたフレーム上方端部とそれぞれ回動自在に連結された伸縮ロッド６３２と、伸縮ロッド６３２を伸縮させる為のハンドル６３３とで構成されている。
【００２２】
回動アーム６３１前方端は、刈取り部５上方のフレームから後方に延設したフレームに水平方向の回動軸６４により上下方向回動自在に連結されていて、水平フレーム６３０と前方のフレームに連結された伸縮ロッド６３２を伸縮することにより、回動アーム６３１の回動端側の水平フレーム６３０は上下に回動する。回動することにより、水平フレーム６３０に取り付けられたゲージ輪６は、刈取り部５に対し上下に回動し高さが調整される。
【００２３】
伸縮ロッド６３２は、内部にメスねじ部とこれに螺入するオスねじのシャフトとを設けてあり、オスねじのシャフトに固着されたフレーム側前端部のハンドル６３３を回転させると軸方向に伸縮させることができる。
【００２４】
前記水平フレーム６３０左右には、これに対し左右スライド及び固定自在に設けたスライドホルダー６２がそれぞれ設けられていて、スライドホルダー６２には上下方向取り付け位置調節自在であり下方部にゲージ輪６を水平方向に回動させる水平回動軸６００を保持するボス６１０を有する上下調節アーム６１が設けられ、さらに上下調節アーム６１には上下調節アーム６１のボス６１０に挿入される水平回動軸６００を有して水平回動軸６００の回転中心からオフセットした位置に中心を有する水平方向のゲージ輪回転軸６０１を設けたキャスターフレーム６０が水平回動軸６００を挿入して水平回動自在に取付けられている。ゲージ輪６は、ゲージ輪回転軸６０１によりキャスターフレーム６０に回転自在に保持される。
【００２５】
スライドホルダー６２は、角パイプ状の水平フレーム６３０に挿入される矩形部を有し、矩形部を締め付けねじにより緊縮させ水平フレーム６３０に圧着して固定可能で、締め付けねじを緩めることでスライド自在となり、左右位置を調整できる。
【００２６】
上下調節アーム６１は、上下方向に取付け孔が多数設けられていて、この孔を選択して取り付けることにより上下の調節が可能で、前記伸縮ロッド６３２により調節する上下範囲からさらに調節が可能である。
【００２７】
刈取り部５の放射状に複数の刈取り刃５１を揺動自在に設た回転軸５０の左右端部を回転自在に軸受により保持する側板５３，５３´の下方部には、その側板５３，５３´を下方に延長可能な延長側板５４，５４´が取付け取外し可能に設けられていて、畦上に植えられた作物の茎葉を刈取る場合に、畦の凹部に位置する側板５３，５３´の下端と凹部地面との隙間を調整する。側板５３，５３´の下方端が地面より隙間が大きいと、刈取られた茎葉が刈取り部５内から飛び出して、刈取り部５内で持ち回りされ難くなり、内部での破砕効果が得られ難いため、延長側板５４，５４´により隙間を調整することで精度の良い刈取りが行える。
【００２８】
延長側板５４，５４´は、側板５３，５３´の下方端側に設けた複数の延長側板取付け孔５３０に締め付けねじで取付けられる。
【００２９】
図６は、刈取り部５の延長側板５４，５４´と茎葉誘導部７の茎葉誘導杆７０を外した状態を示したもので、畦等が無い平坦な場所での通常の草の刈取り作業に使用することができる。
【００３０】
次にこの発明の刈取り作業機の作動について説明する。刈取り作業機１の前方部に設けた装着部２によりトラクタに装着し、刈取り作業機１の前方側中央部に設けた入力軸３０をトラクタＰＴＯ軸からの動力により回転駆動し、入力軸３０を前方に突設して設けたベベルギヤケース３の内部のベベルギヤにより入力軸３０の動力は進行方向左右一方向に回転動力を変換及び変速して伝動され、パイプフレーム３１内に設けた出力軸により動力を側方端側に伝達する。ベベルギヤケース３と反対側の側方端部の出力軸先端にはベルト用プーリが固着されていて、また、その下方に前記刈取り部５の回転軸５０の端部に固着された入力プーリが設けられていて、これらのプーリに掛け渡された伝動ベルトにより出力軸により伝達された動力は刈取り部５の回転軸５０に伝達され回転駆動する。回転軸５０には放射状に複数の刈取り刃５１が揺動自在に設けられていて、これを切断された草や茎葉が回転軸５０の上方を通過して前方から後方に掬い上げるように回転させ、トラクタの進行により草や茎葉を刈取りするとともに破砕させる。刈取り刃５１回転軌跡外周上方部は、刈取り部カバー５２で覆われていて、切断された草や茎葉の飛散を防止するとともに刈取られた茎葉の一部を刈取り刃５１の掬い面の作用により回転軸５０周りに持ち回らせてさらに細かく破砕させる。
【００３１】
畦上に植えられた作物の茎葉を刈取る場合は、図３に示すように刈取り作業機１の略左右中央部を畦Ａの中心に位置させると共に、左右のゲージ輪６を畦と畦との凹部に位置させ、さらに茎葉誘導部７の茎葉誘導杆７０前方端を畦の裾部分近傍に位置させ作業を行う。刈取り部５の刈取り刃５１の回転外周が畦の頂上部に位置するようにゲージ輪６を調整することで、畦の頂上部にある茎葉の根元を切断することができる。また、先端部から後上がりに刈取り部５の刈取り刃回転外周内側を通過して傾斜させて設けた茎葉誘導杆７０は、前方先端部が地面に当接して摺動すると共に一定範囲上下に回動して地面に追従するため、畦の左右に垂れ下がった茎葉をトラクタの進行と共に上方の刈取り刃５１の回転域に誘導し確実に茎葉を切断して破砕する。
【００３２】
刈取り部５の地上高さは、刈取り部５の後方左右に設けたゲージ輪６の高さを調節することで任意に設定可能で、茎葉刈取り機１の中央部上方部に設けた伸縮ロッド６３２の長さをその前方端に設けたハンドル６３３を回転させて伸縮させ調整する。
【産業上の利用可能性】
【００３３】
この発明は、トラクタ等の走行機後方に装着されて使用され、草刈作業や畦等に植えられた作物の茎葉の刈取り処理作業に使用する農業用機械に利用される。
【符号の説明】
【００３４】
１    刈取り作業機
２    装着部
２０  ロワーリンクピン
２１  トップリンクピン
２２  トップマスト
３    ベベルギヤケース
３０  入力軸
３１  パイプフレーム
４    ベルトカバー
５    刈取り部
５０  回転軸
５１  刈取り刃
５２  刈取り部カバー
５３，５３´  側板
５３０      延長側板取付け孔
５４，５４´  延長側板
６    ゲージ輪
６０  キャスターフレーム
６００  水平回動軸
６０１ゲージ輪回転軸
６１  上下調節アーム
６１０  ボス
６２  スライドホルダー
６３  ゲージ輪取付フレーム
６３０  水平フレーム
６３１  回動アーム
６３２  伸縮ロッド
６３３  ハンドル
６４  回動軸
７    茎葉誘導部
７０  茎葉誘導杆
７１  取付けフレーム
７２  スライドホルダー
７３  取付け孔
７４  回動支点
【図１】
2011103848.tif 000003
【図２】
2011103848.tif 000004
【図３】
2011103848.tif 000005
【図４】
2011103848.tif 000006
【図５】
2011103848.tif 000007
【図６】
2011103848.tif 000008